(57)【要約】【課題】荷電粒子線露光装置に適した位置決め装置を提供する。【解決手段】位置決め装置は、第１ステージ（６０）及び第１ステージ上に構成された第２ステージ（７０）を平面内において駆動して、第１ステージを位置決めする第１駆動機構（２０、３０）と、第１ステージ上で、第２ステージの位置及び／または回転角を調整して、第２ステージを位置決めする第２駆動機構（１５０）とを備え、その第２駆動機構は、第１制御電流に基づき第１吸引力を発生させる第１電磁石と、第１電磁石と対向し、離間した位置に設けられ、第２制御電流に基づき第２吸引力を発生させる第２電磁石と、第１及び第２電磁石の間を可動可能に保持され、上述の第１及び／または第２吸引力に従い吸引されて移動するコア材と、を備える。【選択図】　図１Ａ
2004095855.tif 000002
【特許請求の範囲】
【請求項１】
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、前記第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、
を備えることを特徴とする位置決め装置。
【請求項２】
前記コア材は、積層鋼板により形成されていることを特徴とする請求項１に記載の位置決め装置。
【請求項３】
前記第２駆動機構は、前記第１及び第２電磁石と、前記コア材とを包含し、磁束漏れを防止する複数の磁気シールド材を更に備えることを特徴とする請求項１に記載の位置決め装置。
【請求項４】
前記第２駆動機構において、前記コア材が前記第１及び／または第２吸引力に従い吸引されることにより生じる変位を、該コア材と連結して前記第２ステージに伝達する取り付け部材を有することを特徴とする請求項１に記載の位置決め装置。
【請求項５】
前記第２駆動機構は、前記第１及び／または第２吸引力に従い前記コア材を吸引して並進方向の変位を発生させ、
該第２駆動機構を複数設け、並進方向の変位の組合わせにより、回転方向の変位を発生させて、前記第２の位置決めを行なうことを特徴とする請求項１に記載の位置決め装置。
【請求項６】
荷電粒子線露光装置であって、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、前記第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備える
ことを特徴とすることを特徴とする荷電粒子線露光装置。
【請求項７】
デバイスの製造方法であって、
荷電粒子線露光装置を含む複数の半導体製造装置を工場に設置する工程と、
前記複数の半導体製造装置を用いて半導体デバイスを製造する工程と、
を備え、該荷電粒子線露光装置は、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、該第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備える
ことを特徴とすることを特徴とするデバイスの製造方法。
【請求項８】
前記複数の半導体製造装置をローカルエリアネットワークで接続する工程と、
前記ローカルエリアネットワークと前記工場外の外部ネットワークとを接続する工程と、
前記ローカルエリアネットワーク及び前記外部ネットワークを利用して、前記外部ネットワーク上のデータベースから前記荷電粒子線露光装置に関する情報を取得する工程と、
取得した情報に基づいて前記荷電粒子線露光装置を制御する工程と、
を更に含むことを特徴とする請求項７に記載のデバイス製造方法。
【請求項９】
半導体製造工場であって、該半導体製造工場は、
荷電粒子線露光装置を含む複数の半導体製造装置と、
前記複数の半導体製造装置を接続するローカルエリアネットワークと、
前記ローカルエリアネットワークと前記半導体製造工場外の外部ネットワークとを接続するゲートウェイとを備え、
前記荷電粒子線露光装置は、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、該第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備える
ことを特徴とする半導体製造工場。
【請求項１０】
荷電粒子線露光装置の保守方法であって、
荷電粒子線露光装置が設置された工場外の外部ネットワーク上に、該荷電粒子線露光装置の保守に関する情報を蓄積するデータベースを準備する工程と、
前記工場内のローカルエリアネットワークに前記荷電粒子線露光装置を接続する工程と、
前記外部ネットワーク及び前記ローカルエリアネットワークを利用して、前記データベースに蓄積された情報に基づいて前記荷電粒子線露光装置を保守する工程とを備え、該荷電粒子線露光装置は、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、該第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備える
ことを特徴とする荷電粒子線露光装置の保守方法。
【請求項１１】
２軸方向に長距離移動が可能な粗動ステージを第１方向に移動させる第１スライダと、
前記第１スライダと高さ方向にずれ、該第１スライダより高い位置に配置され、該第１スライダの移動方向と略直交方向である第２方向に移動可能な第２スライダと、
前記第１スライダと前記第２スライダとの交差位置付近に配置され、前記第１方向および前記第２方向に略沿った平面内を移動可能にする第３スライダと、を有し、
微動ステージの位置を制御するための電磁石ユニットが前記第１スライダの両側に、該第１スライダの側面に沿って３個ずつ、都合６個配置されていることを特徴とする請求項１に記載の位置決め装置。
【請求項１２】
前記第１方向に力を発生する電磁石ユニットは１個であり、前記第２方向に力を発生する電磁石ユニットは２個であることを特徴とする請求項１１に記載の位置決め装置。
【請求項１３】
前記第１方向に力を発生する電磁石ユニットは、前記側面に沿って配置された３個の並びの中央に配置された１個であり、
前記第２方向に力を発生する電磁石ユニットは２個であり、該２個の電磁石ユニットは前記第１スライダをはさんで、該第１スライダの両側に配置されることを特徴とする請求項１１に記載の位置決め装置。
【発明の詳細な説明】
【０００１】
【発明の属する技術分野】
本発明は荷電粒子線露光装置に適用可能な位置決め装置、その位置決め装置を適用した荷電粒子線露光装置及びその荷電粒子線露光装置による半導体デバイスの製造方法等に関するものである。
【０００２】
【従来の技術】
露光装置における露光精度の高精細化に伴い、被露光対象を高精度かつ短時間に所定の露光位置に位置決めするための位置決め装置として、ＸＹ平面を高速に移動して面内の位置決めをするＸＹステージと、このステージ上に面内の位置と姿勢を調整するための６軸微動ステージを搭載した露光装置用ステージがある（図４Ａ）。
【０００３】
この露光装置用ステージにおけるＸＹステージ６は、ステージ定盤１上をＸ軸方向にステージを駆動するためのＸリニアモータ２と、Ｙ軸方向にステージを駆動するためのＹリニアモータ３とを配置し、各リニアモータをＸＹ方向の駆動源とするものである。ＸＹステージを支持する機構としては、Ｙスライダ５と、Ｘスライダ４がある。スライダガイド（１５、１６）と接するＸＹステージ６にはエアパッド（９、１１）が設けられ、これらエアパッドから圧縮空気をガイド部材に吹き出し、ガイド部材との間に空気の層を形成してＸ，Ｙスライダ（５、４）の摺動部分の摩擦を低減し、各スライダ（４、５）を滑動可能にするものである。
【０００４】
ＸＹステージ６を高速に駆動して、目標位置に対して粗い精度の位置決めをする。更に、被露光対象の高精度な位置と姿勢の調整をするために、ＸＹステージ６上に微動ステージ７を設け、この微動ステージの駆動により精度の高い位置決めをして被露光対象を所定の露光位置（目標位置）に位置決めをするものである。
【０００５】
微動ステージの微動機構には６軸分（並進方向３軸、回転方向３軸）の微動リニアモータが利用され、このリニアモータの駆動を利用して微動ステージの並進方向の位置と各軸回りの回転姿勢が調整される。
【０００６】
図４Ｂは微動ステージ７を駆動するための６軸微動リニアモータの配置を詳細に示す図である。図４Ｂに示すように微動リニアモータは２つのＸ微動リニアモータ１００、２つのＹ微動リニアモータ１１０、３つのＺ微動リニアモータ１２０から構成される。６軸の動きを実現するために７つのリニアモータが配置される。
【０００７】
各微動リニアモータは空芯の長円形扁平コイルと、その扁平コイルを両側からはさむように設けられた磁石およびヨークから構成されるいわゆるローレンツ力を利用するリニアモータである。扁平長円形コイルの扁平面を含む面内で長円形コイルの直線部に直角な方向に推力を発生する（図中の矢印方向）。
【０００８】
Ｘ微動リニアモータ１００の長円形コイルは扁平面がＸＺ面と平行で直線部がＺ軸と平行になっており、Ｙ微動リニアモータ１１０の長円形コイルは扁平面がＹＺ面と略平行で直線部がＺ軸と略平行になっており、Ｚリニアモータの長円形コイルは扁平面がＹＺ面と平行で直線部がＹ軸と平行になっていることで各々ＸＹＺ方向の推力を発生するようになっている。この推力に基づいて、ヨークを動かすことにより、面内方向（ＸＹ面、ＹＺ面、ＺＸ面）、回転方向（Ｘ軸、Ｙ軸、Ｚ軸の回転）の位置と姿勢を調整することが可能になる。
【０００９】
各リニアモータにおけるコイルはコイル枠（例えば、Ｙ微動リニアモータの１１０ｅ）を介してＸＹステージ６の天板１４に固定され、磁石（例えば、Ｙ微動リニアモータの１１０ｄ）およびヨーク（例えば、Ｙ微動リニアモータの１１０ｂ）はヨーク固定（例えば、Ｙ微動リニアモータの１１０ａ）を介して微動天板２１は固定される。
【００１０】
以上の構成において、図４Ａに示すようなステージ機構の特徴は、一方の軸方向に移動するステージの上に他方の軸方向に移動するステージ（例えば、Ｙ方向に駆動するＹステージの上に、Ｘ方向に駆動するＸステージが積み重なって構成されるステージ）に比べて、搭載する駆動軸の搬送質量が軽くなること、熱源であるリニアモータがウエハから遠くに配置できるという利点がある。
【００１１】
ＸＹステージの上にローレンツ力による６軸微動ステージを搭載した露光装置ステージは長ストロークにわたって高精度な位置、姿勢制御が可能となる利点がある。
【００１２】
【発明が解決しようとする課題】
一方、露光装置が露光するパターンの微細化が進み、電子ビーム（ＥＢ）露光装置、イオンビーム露光装置等の荷電粒子線露光装置が注目されている。従来例の６軸微動機構の構成を荷電粒子線露光装置上で使おうとすると，（ａ）磁束が漏れやすい、（ｂ）微動リニアモータの寸法が大きくなる、という２つの欠点が生じる。
【００１３】
微動リニアモータ（１００、１１０、１２０（図４Ｂを参照））の固定子は閉じた磁気回路になっているが磁石の両端からの磁束が漏れやすいし、コイルの作る磁界も外に漏れやすい。すなわち、永久磁石を使用しているために微動のための駆動力を発生しないときでも常に磁束が生じ、これが外に漏れることになる。これらの漏れ磁束があるとＥＢ露光装置の電子光学系を擾乱し、電子線の描画精度を劣化させる原因となる。
【００１４】
また、微動リニアモータは代表的な外形寸法として、長さ１００（ｍｍ）×幅４０（ｍｍ）×奥行き５０（ｍｍ）程度の大きさをもっており、上述の漏れ磁束を封止しようとして磁気シールドを設ける場合、磁気シールドを含めた微動リニアモータの大きさは上述の代表寸法い比べて更に大きなものとなり、占有部分が大きくなってしまうという課題がある。
【００１５】
更に、上述の大きさのリニアモータに３〜４重のシールドを設けるのは非常に困難であるために、荷電粒子線露光装置において、従来例の６軸微動ステージを使用することは実質的に不可能なものであった。
【００１６】
【課題を解決するための手段】
上記課題を解決するべく、本発明は磁束漏れの影響を無くし、荷電粒子線露光装置においても適用可能な位置決め装置及びその位置決め装置を適用した荷電粒子線露光装置及びその荷電粒子線露光装置による半導体デバイスの製造方法等を提供することを目的とする。
【００１７】
上記目的を達成するべく、本発明にかかる位置決め装置及びその位置決め装置を適用した荷電粒子線露光装置及びその荷電粒子線露光装置による半導体デバイスの製造方法等は主として以下の構成よりなることを特徴とする。
【００１８】
すなわち、本発明にかかる位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、前記第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、
を備えることを特徴とする。
【００１９】
好ましくは、上記の位置決め装置において、前記コア材は、積層鋼板により形成されている。
【００２０】
好ましくは、上記の位置決め装置において、前記第２駆動機構は、前記第１及び第２電磁石と、前記コア材とを包含し、磁束漏れを防止する複数の磁気シールド材を更に備える。
【００２１】
好ましくは、上記の位置決め装置において、前記第２駆動機構において、前記コア材が前記第１及び／または第２吸引力に従い吸引されることにより生じる変位を、該コア材と連結して前記第２ステージに伝達する取り付け部材を有する。
【００２２】
好ましくは、上記の位置決め装置において、前記第２駆動機構は、前記第１及び／または第２吸引力に従い前記コア材を吸引して並進方向の変位を発生させ、該第２駆動機構を複数設け、並進方向の変位の組合わせにより、回転方向の変位を発生させて、前記第２の位置決めを行なう。
【００２３】
また、本発明にかかる荷電粒子線露光装置は、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、前記第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備える
ことを特徴とする。
【００２４】
また、本発明にかかるデバイスの製造方法は、
荷電粒子線露光装置を含む複数の半導体製造装置を工場に設置する工程と、
前記複数の半導体製造装置を用いて半導体デバイスを製造する工程と、
を備え、該荷電粒子線露光装置は、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、該第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備える
ことを特徴とすることを特徴とする。
【００２５】
好ましくは、上記のデバイス製造方法において、前記複数の半導体製造装置をローカルエリアネットワークで接続する工程と、
前記ローカルエリアネットワークと前記工場外の外部ネットワークとを接続する工程と、
前記ローカルエリアネットワーク及び前記外部ネットワークを利用して、前記外部ネットワーク上のデータベースから前記荷電粒子線露光装置に関する情報を取得する工程と、
取得した情報に基づいて前記荷電粒子線露光装置を制御する工程と、を更に含む。
【００２６】
また、本発明にかかる半導体製造工場であって、該半導体製造工場は、
荷電粒子線露光装置を含む複数の半導体製造装置と、
前記複数の半導体製造装置を接続するローカルエリアネットワークと、
前記ローカルエリアネットワークと前記半導体製造工場外の外部ネットワークとを接続するゲートウェイとを備え、
前記荷電粒子線露光装置は、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、該第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備える
ことを特徴とする。
【００２７】
また、本発明にかかる荷電粒子線露光装置の保守方法は、
荷電粒子線露光装置が設置された工場外の外部ネットワーク上に、該荷電粒子線露光装置の保守に関する情報を蓄積するデータベースを準備する工程と、
前記工場内のローカルエリアネットワークに前記荷電粒子線露光装置を接続する工程と、
前記外部ネットワーク及び前記ローカルエリアネットワークを利用して、前記データベースに蓄積された情報に基づいて前記荷電粒子線露光装置を保守する工程とを備え、該荷電粒子線露光装置は、
荷電粒子線を放射する荷電粒子源と、
複数の電子レンズを有し、該複数の電子レンズにより前記荷電粒子源の中間像を複数形成する第１の電子光学系と、
前記第１の電子光学系によって形成される複数の中間像を基板上に投影する第２の電子光学系と、
前記基板を保持し、所定の位置に駆動して、位置決めする位置決め装置と、を備え、
前記位置決め装置は、
第１ステージ及び該第１ステージ上に構成された第２ステージを平面内において駆動して、該第１ステージを位置決めする第１駆動機構と、
前記第１ステージ上で、前記第２ステージの位置及び／または回転角を調整して、該第２ステージを位置決めする第２駆動機構と、を備え、
前記第２駆動機構は、
第１制御電流に基づき第１吸引力を発生させる第１電磁石と、
前記第１電磁石と対向し、離間した位置に設けられ、第２制御電流に基づき第２吸引力を発生させる第２電磁石と、
前記第１及び第２電磁石の間を可動可能に保持され、前記第１及び／または第２吸引力に従い吸引されて移動するコア材と、を備えることを特徴とする。
【００２８】
好ましくは、上記の位置決め装置において、２軸方向に長距離移動が可能な粗動ステージを第１方向に移動させる第１スライダと、
前記第１スライダと高さ方向にずれ、該第１スライダより高い位置に配置され、該第１スライダの移動方向と略直交方向である第２方向に移動可能な第２スライダと、
前記第１スライダと前記第２スライダとの交差位置付近に配置され、前記第１方向および前記第２方向に略沿った平面内を移動可能にする第３スライダと、を有し、
微動ステージの位置を制御するための電磁石ユニットが前記第１スライダの両側に、該第１スライダの側面に沿って３個ずつ、都合６個配置されている。
【００２９】
好ましくは、上記の位置決め装置において、前記第１方向に力を発生する電磁石ユニットは１個であり、前記第２方向に力を発生する電磁石ユニットは２個である。
【００３０】
好ましくは、上記の位置決め装置において、前記第１方向に力を発生する電磁石ユニットは、前記側面に沿って配置された３個並びの中央に配置された１個であり、
前記第２方向に力を発生する電磁石ユニットは２個であり、該２個の電磁石ユニットは前記第１スライダをはさんで、該第１スライダの両側に配置される。
【００３１】
【発明の実施の形態】
＜第１実施形態＞
＜ステージの全体構成＞
本実施形態にかかる位置決め装置の構成を図１Ａに示す。ステージの基本構成はステージ定盤１００、Ｙスライダ５０、Ｘスライダ４０、ＸＹスライダ６０、Ｙリニアモータ３０、Ｘリニアモータ２０、６軸微動ステージ７００、微動天板２１０、の構成の構成よりなる。
【００３２】
ステージ定盤１００上をＸ軸方向にＸＹスライダ６０を駆動するためのＸリニアモータ２０と、Ｙ軸方向にＸＹスライダ６０を駆動するためのＹリニアモータ３０とを配置し、各リニアモータをＸＹ方向の駆動源とする。
【００３３】
ＸＹスライダ６０を支持する機構として、Ｙスライダ５０と、Ｘスライダ４０がある。Ｙスライダ５０及びＸスライダ４０はその底面部に不図示のエアスライド機構が設けられており、ガイド部材との間で摺動面に空気の層を形成して摩擦力を低減させて各スライダを滑動可能にするものである。
【００３４】
各スライダのガイド部材（１５５、１６５）と接触するＸＹスライダ６０には真空パッド（９０、１１０）が設けられ、これら真空パッドから圧縮空気をガイド部材に吹出し、ガイド部材との間に空気の層を形成してＸ，Ｙスライダ（５０、４０）の摺動部分の摩擦を低減し、各スライダ（５０、４０）を滑動可能にするものである。図１Ｅは真空パッド１１０が取り付けられた状態を示す図である。荷電粒子線露光装置は真空中で使うので、従来におけるエアパッドは使えなくなるが、吹き出した空気を吸引回収する真空パッドを用いることにより同様の効果を得ることが可能である。
【００３５】
このＹスライダ５０とＸスライダ４０との関係はＹスライダ５０のＺ方向にＸスライダ４０が重なる構成になっている。さらにＹスライダ５０及びＸスライダ４０とが交差する位置を中心としてＸＹスライダ６０が配置される。
【００３６】
また、ＸＹスライダ６０は、不図示のエアスライド機構を介してステージ定盤１００と対面するＸＹスライダ底板８０を有し、このＸＹスライダ底板８０にはＹスライダ５０の摺動をガイドする真空パッド９０を支持する２枚のＸＹスライダＸ側板１０が取り付けられている。
【００３７】
同様にＸＹスライダ６０は、Ｘスライダ４０の摺動をガイドする真空パッド１１０を支持するＸＹスライダＹ側板１２を有し、このＹ側板１２とＸＹスライダＸ側板１０との間にはＸＹスライダ中板１３が取り付けられている。１４はＸＹスライダ６０の天板であり、この天板１４上に微動ステージ７０が構成される。ＸＹスライダ６０はＹスライダ５０、Ｘスライダ４０を略直交状態に保ちつつそれらのＸガイド１５、Ｙガイド１６に沿ってステージ定盤１００上を滑動自在に動くようになっている。
【００３８】
Ｙスライダ５０、Ｘスライダ４０の各々の両側にはＸリニアモータ２０、Ｙリニアモータ３０が設けられ、これを駆動源として長距離の移動を高速に移動して、ＸＹ面内の位置決めを行なう。
【００３９】
＜微動機構＞
ＸＹスライダ６０の天板１４上には微動ステージ７０の位置と姿勢を調整するための微動ステージ駆動機構が設けられている。この駆動機構はシールド付電磁石ユニット（以下、単に「電磁石ユニット」という。）１５０により構成されている。この電磁石ユニット１５０の上には微動天板２１０が設けられ微動天板２１上には不図示のチャック機構を有し、このチャック機構によりを被露光対象であるウエハが保持される。
【００４０】
図１Ｂ（ａ）は図１Ａに示した位置決め装置において微動天板２１０を除去して、電磁石ユニット１５０の配置をわかりやすく示した図であり、図１Ｃはその電磁石ユニット１５０の構造を拡大して示す図である。
【００４１】
図１Ｂ（ａ）に示すとおり、ＸＹスライダ６０の天板１４上には６個の電磁石ユニットが設けられている。Ｘ電磁石を１５０ａ，Ｙ電磁石を１５０ｂ、Ｚ電磁石を１５０ｃして示す。ここで、各電磁石ユニットに示す矢印は、変位の方向を概略的に示すものである。各電磁石ユニットは図１Ｃに示すとおり、Ｅ型コア（例えば、Ｘ電磁石１５０ａ、Ｙ電磁石１５０ｂの構成を例にした場合、１６０ａ，ｂが対応する）にコイル（１７０ａ，ｂ）を巻きまわした電磁石１対（図１Ｄを参照）と、その１対の電磁石ではさまれるように設けられるＩ型コア（１８０ａ，ｂ）と、それらの周りに設けられたシールド（１９０ａ，ｂ）から構成される。図１Ｃではシールド（１９０ａ，ｂ）は３重に設けられている例を示しているが、本実施形態による効果は３重のシールド数による場合に限るものではない。
【００４２】
シールド（１９０ａ，ｂ）に用いる材質はパーマロイがよく用いられるが、この材質に限るものでもない。また、Ｅ型コア（１６０ａ，ｂ）やＩ型コア（１８０ａ，ｂ）は積層鋼板、例えば、珪素鋼板で構成されるのが一般的である。
【００４３】
Ｅ型コア（１６０ａ，ｂ）に巻きまわしたコイル（１７０ａ，ｂ）に電流を流すと、そのＥ型コア（１６０ａ，ｂ）には電磁石としての効果が発生し、Ｉ型コア（１８０ａ，ｂ）をひきつける吸引力が発生する。この吸引力に基づいてＩ型コア（１８０ａ，ｂ）をＥ型コア方向に吸引して所定の方向に移動させることができる。従って、この電磁石ユニットにより、力を出したい方向（Ｉ型コアを移動させる方向）がＩ型コアの法線方向になるように配置すればよい。
【００４４】
図１Ｄは、図１Ｃで示した電磁石ユニットにおいて、シールド材（１９０ａ，１９０ｂ）を除去して、電磁石ユニットがＩ型コア（１８０ａ，ｂ）を挿んで一対に配置される構成を示す図である。各コイルに流す電流を制御することにより吸引力を発生させてＩ型コアを吸引し、Ｉ型コアの動きを微動天板２１０の位置と姿勢を調整するために利用するものである。電磁石ユニット１５０で力（変位）を発生させるには１対のＥ型コアのどちらか一方に電流を流してもよいし、両方に電流を流してその吸引力の差でＩ型コアを吸引する力（Ｉ型コアを移動させる変位）を発生させてもよい。
【００４５】
図１Ｃでは６個の電磁石ユニットのうち３個のユニットがＺ方向の駆動機構（１５０ｃ）、２個がＸ方向の駆動機構（１５０ａ）、１個がＹ方向の駆動機構（１５０ｂ）として使われる。各々のＩ型コアはその法線方向が推力発生方向となるように配置される。
【００４６】
Ｚ方向の３個の電磁石ユニット（１５０ｃ）はＺ方向の位置とＸ軸回りの回転ωｘ、Ｙ軸回りの回転角ωｙに関する位置制御および回転制御を行い、同様に、Ｘ軸方向の２個の電磁石ユニット（１５０ａ）はＸ方向の位置とＺ軸回りの回転ωｚに関する制御を行ない、Ｙ方向の１個の電磁石ユニット（１５０ｂ）はＹ方向の位置制御を行う。
【００４７】
図１Ｂ（ｂ）は微動天板２１０上の電磁石ユニットの配置例を示す図である。３個のＺ電磁石ユニット１５０ｃは微動２１０の重心（Ｇ）を囲むように配置され、２個のＸ電磁石ユニット１５０ａはその２つの作用線が各々微動天板２１０の重心から略等距離（ｘ方向ａ、ｙ方向ｂ）になるように配置され、１個のＹ電磁石ユニットは作用線が微動ステージの重心（Ｇ）と略一致するように配置されている。
【００４８】
図１Ｂ（ｂ）の１５０ａ，１５０ｂにおいて、矢印１５００ａはＸ電磁石ユニット１５０ａにより発生する変位の方向を概念的に示すものであり、同様に矢印１５００ｂはＹ電磁石ユニット１５０ｂにより発生する変位の方向を示すものである。また、「◎」印で示した１５００ｃはＺ電磁石ユニット１５０ｃが発生させる面内に垂直なＺ方向における変位を便宜的に示すものである。
【００４９】
Ｅ型コアおよび３重のシールドは天板１４に固定され、Ｉ型コアは取り付け部材（２００ａ，ｂ）を介して微動天板２１０に固定される。
【００５０】
＜微動機構の制御＞
微動機構の動きを制御するための演算において、電磁石は電流の２乗に比例した吸引力を発生すること、吸引力は２つの電磁石の吸引力差で決まることを考慮した制御が必要である。
【００５１】
電磁石がリニアモータに比べて優れるのは、同一体積で発生する力が大きく、逆に発熱が小さいこと、磁気回路に電流を流していないときは磁束を発生しないこと、が挙げられる。
【００５２】
吸引力についてリニアモータと電磁石とを比較すると、１５０Ｎ程度の力を発生する場合、リニアモータの場合は代表寸法が長さ１００（ｍｍ）×４０（ｍｍ）×５０（ｍｍ）程度を要するのに対し、電磁石を利用した場合は３０（ｍｍ）×３０（ｍｍ）×３０（ｍｍ）程度でよい。このため占有空間がリニアモータを利用する場合に比べて少なくできるので、図１Ｃに示したような３重のシールドを設ける余裕が生まれる。これにより、多重シールドにより磁束の漏れを排除することが可能になる。
【００５３】
Ｅ型コアとＩ型コアとにより形成される磁気回路の空隙がリニアモータに比べて一桁から二桁小さくできるので、電流を流してもリニアモータの場合に比べて磁束の漏れは少ない。電流を流していないときは磁束は発生しないので、上述の多重シールド、磁気回路の空隙の狭小化と相俟って、リニアモータに比べれば磁束の漏れは極めて小さくなる。以上の点において、磁束漏れの影響を極めて小さくすることができるので、磁気を嫌う荷電粒子線露光装置の駆動機構に用いることが可能になる。
【００５４】
電磁石を駆動源として利用した場合、電磁石による発熱量はリニアモータに比べて少なくできるので、被露光対象が発熱の影響を受けて変形する等の原因とならないというメリットもある。
【００５５】
上述のＹスライダ５０と、Ｘスライダ４０を駆動するためのリニアモータ２０、３０は図１Ａ、図１Ｆに示すようなコイル固定磁石可動型のもので磁石位置に応じて２個のコイルを選択し、電流の大きさと方向を適切に制御することで長ストロークの駆動を実現している２相正弦波駆動タイプのリニアモータである。可動磁石コイルを両側からはさむように設けた１対の４極磁石と、その各々の裏面に設けたヨークとヨーク間を結合する可動子（２８、３８）から構成される。
【００５６】
Ｘスライダ４０の位置、Ｙスライダ５０の位置、および微動天板２１０の位置及び姿勢は不図示のセンサで測定されている。位置の計測においてはＸスライダ４０、Ｙスライダ５０は少なくとも１軸、微動天板２１０の位置と姿勢は少なくとも６軸のレーザ干渉計で計測されるのが望ましい。
【００５７】
＜第２実施形態＞
第２実施形態における位置決め装置の構成を図２Ａ〜Ｄに示す。本実施形態においては、微動駆動要素として、第１実施形態で説明した電磁石ユニット１５０を用いることは共通しているが、その取付位置をＸＹスライダ６０の天板１４（図１Ａを参照）に固定するのではなく、ＸＹスライダ底板８０（図１Ａを参照）に固定している。
【００５８】
第１実施形態との違いはＸＹスライダの構成、微動駆動用の電磁石ユニットの取り付け位置および配置、微動ステージの天板構造体である。これらを順に説明する。
【００５９】
まず、ＸＹスライダであるがＸＹスライダ底板８０が第１実施形態に比べて大きく、広くなっている。これは６個の微動駆動用の電磁石ユニットを底板上面に載置するためである。ＸＹスライダ底板８０の裏面とＸＹステージ定盤との間には不図示のエアパッドによりエアスライド系が構成される。この不図示のエアパッドも図１Ｅに示したものと同様の真空対応パッドである。ＸＹスライダ底板８０の上面からＸＹスライダＸ側板が２枚立ち上がり、それらの上部にそれらを連結するＸＹスライダ中板６２０（図２Ｂ）が設けられ、これを介してＸＹスライダＹ側板が２枚立ちあがるところも第１実施形態と同じである。
【００６０】
ＸＹスライダＸ側板、ＸＹスライダＹ側板周辺の構成及び機能も第１実施形態と同じである。ただし微動の駆動系はＸＹスライダ底板８０に載置される（図２Ａ）ので、換言すると微動駆動系の載置台としての天板は不要になるのでＸＹスライダ天板は省略されている。このために位置決め装置全体の高さを低くできるという構造上の効果が得られる。
【００６１】
ＸＹスライダ底板８０は上述のように広いのでＸＹスライダＸ側板が２枚取り付けられたその両側部に微動駆動系を配置するスペースを確保できる。しかしながら、Ｙスライダの下部は物を置くことが構造上できないので、上記のようにＹスライダあるいはＸＹスライダＸ側板に沿う両側部にしか微動駆動系が配置できない。この構造上の事情が本実施形態における微動駆動系配置の制約となっている。
【００６２】
このスペースの制約のもとでＸ方向もＹ方向も水平方向の並進力は微動構造体の重心を押せるようにした。駆動源となる各電磁石ユニットは第１実施形態で説明したものと同じである。この駆動を達成する配置は図２Ｃ（図２Ｄ（ｂ）に該当）に示す構成と、これよりやや応答性に劣る２通りの配置（図２Ｄ（ａ），（ｃ）を参照）の都合３通りしか存在しない。これらの配置と回転対称な形は同じ配置と考えられる。
【００６３】
まず、Ｙ方向の並進力であるがこれは２個のＹ電磁石ユニットを配置するのが必須である。１個のＹ電磁石ユニットで微動構造体の重心を押すためには電磁石ユニットが２枚のＸＹスライダＸ側板の中間あたりにあることが必要であるが、ここはＹスライダが配置されるのでそれは構造上不可能である。よってＹ電磁石ユニットを２個にしてＹスライダを挟む構成でＹスライダの両側に電磁石ユニットを配置する。これにより２個のＹ電磁石ユニットの総合的な吸引力作用線がみかけ上、微動構造体の重心を通るようにすることができる。
【００６４】
次にＸ電磁石であるがこの吸引力作用線が後述の微動構造体の重心をとおるようにするには図２Ｃに示すようにＸスライダの下部あたりに持ってくるのが必須である。つまりＹスライダの両側に３個ずつの電磁石ユニットが並ぶ中でＸ電磁石ユニットはその３個のうちの中央の位置に配置することが必須である。
【００６５】
以上の両方の配置条件を満たすのは図２Ｄ（ａ）〜（ｃ）に示す３通りである。そして、Ｘ電磁石ユニット及びＹ電磁石ユニットの配置が決まったら、その残りの部分に３個のＺ電磁石ユニットを配置すればよい。ちなみに、図２Ｃは図２Ｄに示す配置でＺ電磁石ユニットの間隔が他の２つのパターンよりも広くてバランスがよいものとして例示したものである。
【００６６】
微動構造体は微動天板２２０、連結板７１０、微動支持板７２０から構成され、複雑な段差形状により構成される。何故一枚板にならないかというと微動駆動系が微動天板２２０よりずっと下に配置されるためである。よって微動天板２２０の位置と微動駆動系の位置との高さの差を吸収する部材が必要であり、これを実現するのが図２Ｃでは連結板７１０である。つまり、微動駆動系の出力はいったん２枚の微動支持板７２０でうける。この二枚の連結板と微動天板２２０との高さの差を４枚の連結板７１０で結合して高さの差を吸収するのである。
【００６７】
以上のように６個の電磁石ユニットをＸＹスライダの上部ではなくＸＹスライダ底板８０に図２Ｃまたは図２Ｄのように配置することで、
・ステージ全体の高さを低くすることができ、
・ウエハ面からより遠くに電磁石ユニットを配置することができ、電子ビームの擾乱を一層低減できるという本実施例特有の効果が得られる。
【００６８】
＜第３実施形態＞
第３実施形態における位置決め装置の構成を図３に示す。本実施形態における微動駆動要素は、第１実施形態で説明した電磁石ユニット１５０を用いることは共通しているが、交差するスライダ機構がないこと、すなわち、Ｘスライダ４０、Ｙスライダ５０が存在しない点において相違する。
【００６９】
図３に示すように、Ｘリニアモータ３２０は、Ｙリニアモータ３３０ａの可動子３３０ｂに取り付けられたＹスライダ３４０上に設けられており、Ｘリニアモータ３２０の可動子（不図示）にＸＹスライダ３５０が構成されている。ＸＹスライダ３５０は上板３５１、側板３５２、下板３５３からなり、上板３５１上には微動天板３６０を駆動するための電磁石ユニット１５０が配置されている。
【００７０】
図３で示した構成により、定盤上を位置決めするためのステージ機構の小型化が図れ、駆動源で発生した駆動力を被駆動体に伝達するための伝達要素（本実施形態の場合は、Ｘスライダ、Ｙスライダが対応する）の介在を排除することにより、駆動機構の剛性を高めることが可能になる。
【００７１】
＜荷電粒子線露光装置＞
第１乃至第３実施形態において示した位置決め装置を組込んだ荷電粒子線露光装置について説明する。
【００７２】
図５は荷電粒子線露光装置の概略的な構成を示す図であり、同図において、５０１は荷電粒子源である電子銃を示し、不図示のカソード、グリッド、アノードを有する。この電子銃から放射された電子源ＥＳは、照明電子光学系５０２を介して電子光学系５０３に照射される。電子光学系５０３は不図示のアパーチャアレイ、ブランカアレイ、要素電子光学アレイユニット等で構成されている。電子光学系５０３は電子源ＥＳの像を複数形成し、この像を投影電子光学系５０４によって縮小投影して、被露光面であるウエハ５０５上に電子源ＥＳ像を形成する。ウエハ５０５を搭載する位置決め装置５０８はＸＹ方向に移動して面内における位置決めを行なう位置決め機構５０７と、５０７の位置決め機構により位置決めされた位置に対して、更に高精度の位置決めを行ない、各軸の回転方向の調整を行なうための微動機構５０６と、から構成されている。
【００７３】
ここで、位置決め機構５０８は先の実施形態において説明した位置決め装置を適用するものとする。図６は荷電粒子線露光装置の制御ブロック図である。
【００７４】
制御系６０１は光学系制御回路（６０２〜６０４）と、ステージの位置決めを制御するステージ駆動制御回路６０５とを制御する。露光制御データに基づいて、照明電子光学系制御回路６０２は照明電子光学系６０５を制御し、電子光学系制御回路６０３は、アパーチャアレイ６０６、ブランカアレイ６０７、要素電子光学系６１０を制御し、投影電子光学系制御回路６０４は偏向器６０９、投影電子光学系６１０等を制御する。
【００７５】
ステージ駆動制御回路６０５は微動ステージ７０（図１Ａ）を駆動するための電磁石に対する電流を制御して、Ｉ型コア（図１Ｃの１８０ａ，ｂ）を吸引するための吸引力を制御する。
【００７６】
また、ステージ駆動制御回路６０５はリニアモータ６１２を駆動させてステージ定盤１００の面内においてＸＹスライダ６０の位置決めを制御する。
【００７７】
ステージ駆動制御回路６０５は、リニアモータ６１２及び電磁石ユニット６１１の制御において、可動部の位置情報をレーザ干渉計６１３により検出して、位置情報を制御則に帰還することにより、各アクチュエータ（６１１、６１２）を駆動制御して、露光制御データに対応した目標露光位置にウエハ５０５を位置決めする。
【００７８】
このように上記実施形態にかかる位置決め装置を組み込んだ荷電粒子線露光装置によれば、ウエハの位置決めを高精度に行なうことが可能になる。
【００７９】
＜半導体生産システムの実施例＞
次に、上記露光装置を用いた半導体デバイス（ＩＣやＬＳＩ等の半導体チップ、液晶パネル、ＣＣＤ、薄膜磁気ヘッド、マイクロマシン等）の生産システムの例を説明する。これは半導体製造工場に設置された製造装置のトラブル対応や定期メンテナンス、あるいはソフトウェア提供などの保守サービスを、製造工場外のコンピュータネットワークを利用して行うものである。
【００８０】
図７は全体システムをある側面から切り出して表現したものである。図中、１０１０は半導体デバイスの製造装置を提供するベンダー（装置供給メーカー）の事業所である。製造装置の実例として、半導体製造工場で使用する各種プロセス用の半導体製造装置、例えば、前工程用機器（露光装置、レジスト処理装置、エッチング装置等のリソグラフィ装置、熱処理装置、成膜装置、平坦化装置等）や後工程用機器（組立て装置、検査装置等）を想定している。事業所１０１０内には、製造装置の保守データベースを提供するホスト管理システム１０８０、複数の操作端末コンピュータ１１００、これらを結んでイントラネットを構築するローカルエリアネットワーク（ＬＡＮ）１０９０を備える。ホスト管理システム１０８０は、ＬＡＮ１０９０を事業所の外部ネットワークであるインターネット１０５０に接続するためのゲートウェイと、外部からのアクセスを制限するセキュリティ機能を備える。
【００８１】
一方、１０２０〜１０４０は、製造装置のユーザーとしての半導体製造メーカーの製造工場である。製造工場１０２０〜１０４０は、互いに異なるメーカーに属する工場であっても良いし、同一のメーカーに属する工場（例えば、前工程用の工場、後工程用の工場等）であっても良い。各工場１０２０〜１０４０内には、夫々、複数の製造装置１０６０と、それらを結んでイントラネットを構築するローカルエリアネットワーク（ＬＡＮ）１１１０と、各製造装置１０６０の稼動状況を監視する監視装置としてホスト管理システム１０７０とが設けられている。各工場１０２０〜１０４０に設けられたホスト管理システム１０７０は、各工場内のＬＡＮ１１１０を工場の外部ネットワークであるインターネット１０５０に接続するためのゲートウェイを備える。これにより各工場のＬＡＮ１１１からインターネット１０５０を介してベンダー１０１０側のホスト管理システム１０８０にアクセスが可能となる。ここで、典型的には、ホスト管理システム１０８０のセキュリティ機能によって、限られたユーザーだけがホスト管理システム１０８０に対するアクセスが許可される。
【００８２】
このシステムでは、インターネット１０５０を介して、各製造装置１０６０の稼動状況を示すステータス情報（例えば、トラブルが発生した製造装置の症状）を工場側からベンダー側に通知し、その通知に対応する応答情報（例えば、トラブルに対する対処方法を指示する情報、対処用のソフトウェアやデータ）や、最新のソフトウェア、ヘルプ情報などの保守情報をベンダー側から工場側に送信することができる。各工場１０２０〜１０４０とベンダー１０１０との間のデータ通信および各工場内のＬＡＮ１１１０でのデータ通信には、典型的には、インターネットで一般的に使用されている通信プロトコル（ＴＣＰ／ＩＰ）が使用される。なお、工場外の外部ネットワークとしてインターネットを利用する代わりに、第三者がアクセスすることができない、セキュリティの高い専用線ネットワーク（ＩＳＤＮなど）を利用することもできる。また、ホスト管理システムはベンダーが提供するものに限らずユーザーがデータベースを構築して外部ネットワーク上に置き、ユーザーの複数の工場から該データベースへのアクセスを許可するようにしてもよい。
【００８３】
さて、図８は本実施形態の全体システムを図７とは別の側面から切り出して表現した概念図である。先の例ではそれぞれが製造装置を備えた複数のユーザー工場と、該製造装置のベンダーの管理システムとを外部ネットワークで接続して、該外部ネットワークを介して各工場の生産管理や少なくとも１台の製造装置の情報をデータ通信するものであった。これに対し本例は、複数のベンダーの複数の製造装置を備えた工場と、該複数の製造装置のそれぞれのベンダーの管理システムとを工場外の外部ネットワークで接続して、各製造装置の保守情報をデータ通信するものである。図中、２０１０は製造装置ユーザー（半導体デバイス製造メーカー）の製造工場であり、工場の製造ラインには各種プロセスを行う製造装置、ここでは例として露光装置２０２０、レジスト処理装置２０３０、成膜処理装置２０４０が導入されている。なお図８では製造工場２０１０は１つだけ描いているが、実際は複数の工場が同様にネットワーク化されている。工場内の各装置はＬＡＮ２０６０で接続されてイントラネットを構成し、ホスト管理システム２０５０で製造ラインの稼動管理がされている。一方、露光装置メーカー２１００、レジスト処理装置メーカー２２００、成膜装置メーカー２３００などベンダー（装置供給メーカー）の各事業所には、それぞれ供給した機器の遠隔保守を行なうためのホスト管理システム２１１０，２２１０，２３１０を備え、これらは上述したように保守データベースと外部ネットワークのゲートウェイを備える。ユーザーの製造工場内の各装置を管理するホスト管理システム２０５０と、各装置のベンダーの管理システム２１１０，　２２１０，　２３１０とは、外部ネットワーク２０００であるインターネットもしくは専用線ネットワークによって接続されている。このシステムにおいて、製造ラインの一連の製造機器の中のどれかにトラブルが起きると、製造ラインの稼動が休止してしまうが、トラブルが起きた機器のベンダーからインターネット２０００を介した遠隔保守を受けることで迅速な対応が可能で、製造ラインの休止を最小限に抑えることができる。
【００８４】
半導体製造工場に設置された各製造装置はそれぞれ、ディスプレイと、ネットワークインターフェースと、記憶装置にストアされたネットワークアクセス用ソフトウェアならびに装置動作用のソフトウェアを実行するコンピュータを備える。記憶装置としては内蔵メモリやハードディスク、あるいはネットワークファイルサーバーなどである。上記ネットワークアクセス用ソフトウェアは、専用又は汎用のウェブブラウザを含み、例えば図９に一例を示す様な画面のユーザーインターフェースをディスプレイ上に提供する。各工場で製造装置を管理するオペレータは、画面を参照しながら、製造装置の機種（４０１）、シリアルナンバー（４０２）、トラブルの件名（４０３）、発生日（４０４）、緊急度（４０５）、症状（４０６）、対処法（４０７）、経過（４０８）等の情報を画面上の入力項目に入力する。入力された情報はインターネットを介して保守データベースに送信され、その結果の適切な保守情報が保守データベースから返信されディスプレイ上に提示される。またウェブブラウザが提供するユーザーインターフェースはさらに図示のごとくハイパーリンク機能（４１０〜４１２）を実現し、オペレータは各項目の更に詳細な情報にアクセスしたり、ベンダーが提供するソフトウェアライブラリから製造装置に使用する最新バージョンのソフトウェアを引出したり、工場のオペレータの参考に供する操作ガイド（ヘルプ情報）を引出したりすることができる。
【００８５】
次に上記説明した生産システムを利用した半導体デバイスの製造プロセスを説明する。図１０は半導体デバイスの全体的な製造プロセスのフローを示す。ステップ１（回路設計）では半導体デバイスの回路設計を行なう。ステップ２（露光制御データ作製）では設計した回路パターンに基づいて露光装置の露光制御データを作製する。一方、ステップ３（ウエハ製造）ではシリコン等の材料を用いてウエハを製造する。ステップ４（ウエハプロセス）は前工程と呼ばれ、上記用意したマスクとウエハを用いて、リソグラフィ技術によってウエハ上に実際の回路を形成する。次のステップ５（組み立て）は後工程と呼ばれ、ステップ４によって作製されたウエハを用いて半導体チップ化する工程であり、アッセンブリ工程（ダイシング、ボンディング）、パッケージング工程（チップ封入）等の組立て工程を含む。ステップ６（検査）ではステップ５で作製された半導体デバイスの動作確認テスト、耐久性テスト等の検査を行なう。こうした工程を経て半導体デバイスが完成し、これを出荷（ステップ７）する。例えば、前工程と後工程はそれぞれ専用の別の工場で行われてもよく、この場合、これらの工場毎に上記説明した遠隔保守システムによって保守がなされる。また前工程工場と後工程工場との間でも、インターネットまたは専用線ネットワークを介して生産管理や装置保守のための情報がデータ通信されてもよい。
【００８６】
図１１は上記ウエハプロセスの詳細なフローを示す。ステップ１１（酸化）ではウエハの表面を酸化させる。ステップ１２（ＣＶＤ）ではウエハ表面に絶縁膜を成膜する。ステップ１３（電極形成）ではウエハ上に電極を蒸着によって形成する。ステップ１４（イオン打込み）ではウエハにイオンを打ち込む。ステップ１５（レジスト処理）ではウエハに感光剤を塗布する。ステップ１６（露光）では上記説明した露光装置によって回路パターンをウエハに描画（露光）する。ステップ１７（現像）では露光したウエハを現像する。ステップ１８（エッチング）では現像したレジスト像以外の部分を削り取る。ステップ１９（レジスト剥離）ではエッチングが済んで不要となったレジストを取り除く。これらのステップを繰り返し行なうことによって、ウエハ上に多重に回路パターンを形成する。各工程で使用する製造機器は上記説明した遠隔保守システムによって保守がなされているので、トラブルを未然に防ぐと共に、もしトラブルが発生しても迅速な復旧が可能で、従来に比べて半導体デバイスの生産性を向上させることができる。
【００８７】
【発明の効果】
以上説明したように、本発明にかかる位置決め装置によれば、磁束漏れの影響を無くした高精度な位置及び／または回転角の調整が可能になる。
【００８８】
磁束漏れの影響を無くすことにより、荷電粒子線露光装置に適した位置決め装置を提供することが可能になる。
【００８９】
かかる荷電粒子線露光装置によれば、生産性の高い半導体デバイスの製造方法を提供することが可能になる。
【図面の簡単な説明】
【図１Ａ】第１実施形態にかかる位置決め装置の構成を示す図である。
【図１Ｂ】（ａ）は図１Ａに示した位置決め装置において、微動天板２１０を除去して電磁石ユニット１５０の配置をわかりやすく示した図であり、（ｂ）は電磁石ユニットの配置を説明する図である。
【図１Ｃ】電磁石ユニット１５０の構造を拡大して示す図である。
【図１Ｄ】図１Ｃで示した電磁石ユニットにおいて、シールド材（１９０ａ，ｂ）を除去して、電磁石ユニットがＩ型コア（１８０ａ，ｂ）を挿んで一対に配置される構成を示す図である。
【図１Ｅ】ＸＹスライダＹ側板１２に取り付けられた真空パッド１１０を示す図である。
【図１Ｆ】図１Ａで示したリニアモータの可動子部分を詳細に示す図である。
【図２Ａ】第２実施形態にかかる位置決め装置の構成を示す図である。
【図２Ｂ】ステージ図２Ａで示した位置決め装置の構成において、ＸＹスライダ底板８０に電磁石ユニット１５０が固定された状態を示す図である。
【図２Ｃ】固定された電磁石ユニットの配置を示す図である。
【図２Ｄ】固定された電磁石ユニットの配置パターンを示す図である。
【図３】第３実施形態にかかる位置決め装置の構成を示す図である。
【図４Ａ】従来例における位置決め装置の構成を示す図である。
【図４Ｂ】従来例における６軸微動リニアモータの配置を詳細に示す図である。
【図５】荷電粒子線露光装置の概略的な構成を示す図である。
【図６】荷電粒子線露光装置の制御ブロック図である。
【図７】半導体デバイスの生産システムを概念的に示すブロック図である。
【図８】半導体デバイスの生産システムを概念的に示すブロック図である。
【図９】ユーザインタフェースの具体例を示す図である。
【図１０】デバイスの製造プロセスのフローを説明する図である。
【図１１】デバイスの製造プロセスのフローを説明する図である。
【図１Ａ】
2004095855.tif 000003
【図１Ｂ】
2004095855.tif 000004
【図１Ｃ】
2004095855.tif 000005
【図１Ｄ】
2004095855.tif 000006
【図１Ｅ】
2004095855.tif 000007
【図１Ｆ】
2004095855.tif 000008
【図２Ａ】
2004095855.tif 000009
【図２Ｂ】
2004095855.tif 000010
【図２Ｃ】
2004095855.tif 000011
【図２Ｄ】
2004095855.tif 000012
【図３】
2004095855.tif 000013
【図４Ａ】
2004095855.tif 000014
【図４Ｂ】
2004095855.tif 000015
【図５】
2004095855.tif 000016
【図６】
2004095855.tif 000017
【図７】
2004095855.tif 000018
【図８】
2004095855.tif 000019
【図９】
2004095855.tif 000020
【図１０】
2004095855.tif 000021
【図１１】
2004095855.tif 000022